(57)【要約】【課題】  遊技機の盤面扉において、その強度を確保する。【解決手段】  盤面扉３においては、前面部材１１は透明プラスチック製であり、中央部に設けられた平坦面１９は遊技領域を透視させるための透視域とされる。すなわち、前面部材１１に透明板（例えばガラス板）をはめ付ける構造ではなく、そのための窓穴は設けられていないので、窓となる開口による強度の低下がない。したがって、前面部材１１をことさら厚肉にしたり補強用のリブを設ける必要が無くなる。リブ等の補強手段を設ける場合でも、その数、配置密度、大きさ等は従来よりも格段に低減できる。【選択図】  図２
2006061479.tif 000002
【特許請求の範囲】
【請求項１】
遊技盤との間に遊技領域となる空間を形成する透明板を備えて該遊技盤の前方に配される遊技機の盤面扉において、
輪郭は略矩形で、中央部は前記遊技領域を透視させる透視域とされる透明プラスチック製の前面部材と、
該前面部材とほぼ整合する輪郭で、中央部には前記遊技領域を臨ませる窓が設けられ、前記透明板が取り付けられる背面部材であって、連結手段によって前記前面部材の背面側に接合されて前記窓の外側の前記前面部材との間に収容スペースを形成する背面部材とを構造部材とし、
前記収容スペースに装飾材又は配線基板を収容する
ことを特徴とする遊技機の盤面扉。
【請求項２】
請求項１記載の遊技機の盤面扉において、
前記前面部材と背面部材とは互いの輪郭部分と前記窓の縁部とで密接状態とされ前記収容スペースは閉鎖空間とされる
ことを特徴とする遊技機の盤面扉。
【請求項３】
請求項１または２記載の遊技機の盤面扉において、
前記前面部材の前記透視域となる部分は平坦面である
ことを特徴とする遊技機の盤面扉。
【請求項４】
請求項１ないし３のいずれか記載の遊技機の盤面扉において、
前記連結手段は、前記前面部材と背面部材とを接合、分離可能な可逆的連結手段である
ことを特徴とする遊技機の盤面扉。
【請求項５】
請求項１ないし４のいずれか記載の遊技機の盤面扉において、
前記収容スペースには、
発光体が取り付けられた前記配線基板と、
前記発光体から放射された光を透過させる前記装飾材と
が収容される
ことを特徴とする遊技機の盤面扉。
【発明の詳細な説明】
【技術分野】
【０００１】
本発明は、遊技機の技術分野に属し、詳しくは遊技盤の前方を覆う盤面扉に関する。
【背景技術】
【０００２】
パチンコ機等の遊技機は、遊技盤の前方に透明板（普通はガラス板）を配して遊技盤との間に遊技領域となる空間を形成しており、その遊技領域における遊技球の挙動、例えば入賞するかしないかにて遊技が行われる。
【０００３】
遊技の実行だけなら遊技盤との間に遊技領域を形成するガラス板が１枚あればよいのだが、主に不正行為に対する耐性を高めるためにもう１枚のガラス板をその手前に配置していた。
【０００４】
なお、遊技領域を形成するための透明板は遊技球と接触するためにガラス板が好ましいとしても、他の１枚（遊技者側）はガラスでなくてもよいので、これをプラスチック製にして、窓枠等の枠体のデザインとの釣り合いを図る技術がある（特許文献１）。
【特許文献１】特開２００３−３４００８１号公報
【発明の開示】
【発明が解決しようとする課題】
【０００５】
特許文献１に開示の技術では、透明カバーの筒状の部分を窓にはめ込んで取り付ける構造であるため（窓枠となる部材に窓が開口しているため）、窓枠となる部材の強度を確保するためには、厚肉にしたり補強用のリブを設ける等の対策が必要であった。
【課題を解決するための手段】
【０００６】
請求項１記載の遊技機の盤面扉は、
遊技盤との間に遊技領域となる空間を形成する透明板を備えて該遊技盤の前方に配される遊技機の盤面扉において、
輪郭は略矩形で、中央部は前記遊技領域を透視させる透視域とされる透明プラスチック製の前面部材と、
該前面部材とほぼ整合する輪郭で、中央部には前記遊技領域を臨ませる窓が設けられ、前記透明板が取り付けられる背面部材であって、連結手段によって前記前面部材の背面側に接合されて前記窓の外側の前記前面部材との間に収容スペースを形成する背面部材とを構造部材とし、
前記収容スペースに装飾材又は配線基板を収容する
ことを特徴とする。
【０００７】
前面部材は、透明プラスチック製であり、その輪郭は略矩形、中央部は遊技領域を透視させるための透視域とされる。すなわち、前面部材に透明板をはめ付ける構造ではなく、そのための窓穴は設けられていない。窓となる開口による強度の低下がないから、ことさら厚肉にしたり補強用のリブを設ける必要が無くなる。なお、補強用のリブを排除するわけではなく、リブが有用であれば設けてもよいが、その場合でもリブの数や密度は従来よりも格段に低減できる。
【０００８】
前面部材は、少なくとも透視域が透明であればよいので、それ以外の部分に着色したり、シール等を貼ったり、装飾用の部品を取り付けたりするのは構わない。
また、盤面扉は前面部材と背面部材とを構造部材とし、連結手段によって背面部材を前面部材の背面側に接合することで構成されるので、全体的な強度は一層向上する。
【０００９】
背面部材と前面部材とを接合するための連結手段としては、ビス止め、係止、係合等の公知の手段を用いればよい。例えば特開２００２−１３９００８号公報に開示の連結構造も採用できる。
【００１０】
なお、接着や溶着のような不可逆的な連結手段を用いることも可能ではあるが、収容スペースに収容した装飾材又は配線基板の修理、交換等を考慮すれば、連結手段は、前記前面部材と背面部材とを接合、分離可能な可逆的連結手段とするのが（請求項４の構成が）望ましい。
【００１１】
背面部材の中央部には遊技領域を臨ませる窓が設けられ、その窓を閉じるようにして透明板が取り付けられる。
透明板の取り付けは、公知のガラスレールによる取り付けと同様であってもよいが、１枚だけを取り付ければよいので、それに適した構造（従来とは異なる構造）にできる。
【００１２】
この透明板は遊技盤との間に遊技領域となる空間を形成するための透明板であり、ガラス板又は透明プラスチック板（耐擦過性に優れたものが好ましい。）が用いられる。
ところで、従来は２枚のガラス板をガラスレールにはめ込んでいたので、ガラス板の占める奥行きは（ガラスレール、ガラス板同士の間隔も含めて）２０ミリ程はあった。
【００１３】
しかし、本発明では透明板は遊技領域を形成するための１枚だけであり、前面部材の透視域が２枚目に相当するので、この両者の間隔を従来よりも狭めることが可能になる。
すなわち、盤面扉としての奥行き寸法を小さくすることができるから、遊技機全体での奥行き寸法を小さくすることができる。また、盤面扉の奥行き寸法を小さくした分だけ遊技機本体の奥行き寸法を大きくして部品の取り付けスペースを増やすこと等も可能である。
【００１４】
また、本発明の盤面扉では、背面部材を前面部材の背面側に接合すると窓の外側の前面部材との間に収容スペースが形成されるので、ここに装飾材又は配線基板を収容する。
前面部材が透明プラスチック製であるから、収容スペースに装飾材を収容すれば、前面部材を透かして装飾材が見える。
【００１５】
装飾材は収容スペースに収容されているからほこりやたばこの煙等で汚染されるのを防止できる。装飾材が例えばシボやローレット等の凹凸がある部材の場合、その凹凸に侵入した汚れを取るのは大変だが、装飾材は汚れないので清掃も不要になる。
【００１６】
収容スペースに配線基板を収容した場合、ほこり等による短絡を防止できる。
発光体（例えばＬＥＤや電球）が取り付けられた配線基板の場合、従来は盤面扉の背後に取り付けられていたので、光を通すための穴を盤面扉に設けなければならなかった。しかし、本発明の場合は、そうした穴を設ける必要はない。
【００１７】
この場合、発光体から放射された光を透過させる装飾材（いわゆるレンズ）も収容スペースに収容することができる（請求項５の構成）。また、前面部材の前面部分にレンズを取り付けてもよい。
【００１８】
なお、本発明の盤面扉は、輪郭が略矩形（通常は縦長の長方形状）で、普通は一方の側部において遊技機の本体側にヒンジ連結されて開閉可能とされるが、他の開閉形態とされてもよい。
【００１９】
請求項２記載の遊技機の盤面扉は、請求項１記載の遊技機の盤面扉において、前記前面部材と背面部材とは互いの輪郭部分と前記窓の縁部とで密接状態とされ前記収容スペースは閉鎖空間とされることを特徴とする。前面部材と背面部材とは互いの輪郭部分と窓の縁部とで密接状態とされ収容スペースは閉鎖空間とされるので、装飾材や配線基板の汚れ防止効果がきわめて良好になる。なお、前面部材と背面部材とが密接状態とされるというのは隙間無く接するということであり、気密や液密のレベルにすることを要さない。
【００２０】
請求項３記載の遊技機の盤面扉は、請求項１または２記載の遊技機の盤面扉において、前記前面部材の前記透視域となる部分は平坦面であることを特徴とする。透視域となる部分は平坦面（表裏とも平滑で平面）であるから、この透視域を透かして、さらには透明板を透かして遊技領域を視認する際に屈折やゆがみで視認性が低下することはない。
【発明を実施するための最良の形態】
【００２１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、遊技機の一種であるパチンコ機１の前面部分に盤面扉３が取り付けられている。
【００２２】
盤面扉３の輪郭はほぼ長方形であり、その一方の縦辺側がヒンジ（図示せず）により本体側に連結されており、扉状に開閉できる。ただし、通常は閉じられて、錠機構５により施錠されている。
【００２３】
盤面扉３の下側には球皿６を有する皿扉７が配されている。皿扉７は、盤面扉３とにヒンジにより本体側に軸支されており、扉状に開閉できる。ただし、通常は盤面扉３によって上辺部分を押さえられた状態で閉じられており、盤面扉３を開けなければ皿扉７を開放できない。
【００２４】
球皿６の底部には球抜通路８が連通しており、操作部材８ａにより球抜通路８を開放すれば、球皿６の遊技球を球抜通路８から排出できる。普通は、球抜通路８から排出される遊技球を持ち運び用の球箱で受ける。
【００２５】
また、皿扉７には灰皿９及び発射ハンドル１０が取り付けられている。
図２に示すように、盤面扉３は、前面部材１１、背面部材１３、それらの間に配される装飾材１４並びに配線基板１６、前面部材１１の前面に取り付けられた前面装飾材１８等で構成されている。
【００２６】
前面部材１１は透明なアクリル樹脂の成形品であり、表面（遊技者側の面）には例えばメラミン樹脂やシリコン樹脂による耐擦傷性のコーティングが施されて、硬貨のようなもので擦られても傷が付かない程度に表面を強化されている。なお、図１、図２の対比で明らかなように、前面部材１１の輪郭が盤面扉３の輪郭となる。
【００２７】
前面部材１１の中央部は略円形の平坦面１９とされているが、その周囲には遊技者側に凸な部分２０が設けられている。
平坦面１９の周辺部分には平坦面１９の輪郭線の内外にわたる雲形の着色域２１が成形時の転写によって設けられている。この着色域２１は凸な部分２０の一部にも及んでいる。このため、平坦面１９の全域が透明というわけではないが、平坦面１９は（厳密には着色域２１を除いた部分が）透視域となる。
【００２８】
また前面部材１１の前面には着色されたプラスチックの成形品である前面装飾材１８が取り付けられており、この部分も不透明になっている。従って、上述の透視域の他には、着色域２１から外れて前面装飾材１８にも覆われていない部分が透明であり、その透明な部分がレンズ収容部２２ａ〜２２ｇとされている。
【００２９】
それらレンズ収容部２２ａ〜２２ｇの背後には、装飾材１４ａ〜１４ｇが収容される。装飾材１４ａ〜１４ｇは透光性のプラスチック成形品であり、光を分散させるための加工（例えばシボ）が施されている。また、例えば成形時の転写によって一部が不透明とされている装飾材１４ａ〜１４ｇもある。
【００３０】
それら装飾材１４ａ〜１４ｇの背後には、配線基板１６が配される。配線基板１６はプリント基板であり、各装飾材１４ａ〜１４ｇに対応する位置には、装飾材１４ａ〜１４ｇの形状や寸法に応じて適宜個数のＬＥＤ（図示は省略）が実装されている。このため、装飾材１４ａ〜１４ｇ（レンズ収容部２２ａ〜２２ｇ）はＬＥＤを光源とする電飾となる。
【００３１】
配線基板１６の背後には背面部材１３が配される。
背面部材１３の輪郭は前面部材１１の輪郭にほぼ整合するが、錠機構５に対応する部分１３ａのみ前面部材１１の輪郭よりは凹んでいる。また、背面部材１３の中央部には平坦面１９に整合する形状の窓２５が設けられている。
【００３２】
背面部材１３には輪郭に沿う外周リブ２６及び窓２５に沿う内周リブ２７が設けられている。また外周リブ２６と内周リブ２７との間には中間リブ２８や凸面部２９が設けられている。このため、背面部材１３には中間リブ２８や凸面部２９によって仕切られた複数の凹所３１が形成されており、配線基板１６がそれら凹所３１にはめ込み状態で収容されている。
【００３３】
背面部材１３は、外周リブ２６を前面部材１１の輪郭に合わせ、内周リブ２７（窓２５）を平坦面１９に合わせて、装飾材１４ａ〜１４ｇと配線基板１６を背面部材１３と前面部材１１との間に収容して、連結手段（例えばビス）にて前面部材１１と連結される。
【００３４】
また、図３に示すように、背面部材１３の背部には断面Ｌ字状のガラス保持部３２が設けられている。このガラス保持部３２は背面部材１３の底辺及び左右の縦辺に沿ったコの字状に設けられている。そして、背面部材１３の背面に密接状にされたガラス板３３（透明板に該当）の縁部がガラス保持部３２に挿入されている。ガラス板３３は上辺側のガラス保持部３２の開放部から抜き差しできる。
【００３５】
本実施例の盤面扉３においては、前面部材１１は透明プラスチック製であり、中央部に設けられた平坦面１９は遊技領域を透視させるための透視域とされる。すなわち、前面部材１１に透明板（例えばガラス板）をはめ付ける構造ではなく、そのための窓穴は設けられていないので、窓となる開口による強度の低下がない。したがって、前面部材１１をことさら厚肉にしたり補強用のリブを設ける必要が無くなる。リブ等の補強手段を設ける場合でも、その数、配置密度、大きさ等は従来よりも格段に低減できる。
【００３６】
また、盤面扉３は前面部材１１と背面部材１３とを構造部材とし、連結手段によって背面部材１３を前面部材１１の背面側に接合することで構成されるので、全体的な強度は一層向上する。
【００３７】
背面部材１３の中央部には遊技領域を臨ませる窓２５が設けられ、その窓２５を閉じるようにしてガラス板３３が取り付けられ、ガラス板３３と遊技盤との間に遊技領域となる空間が形成される。ガラス板３３の前方には前面部材１１の平坦面１９が位置し、両者間に閉鎖状の空間ができる。
【００３８】
従来は２枚のガラス板をガラスレールにはめ込んでいたのであるが、本実施例の盤面扉３ではガラス板３３は遊技領域を形成するための１枚だけであり、前面部材１１の平坦面１９が２枚目に相当するので、この両者の間隔を従来よりも狭めることが可能になる。すなわち、盤面扉３としての奥行き寸法を小さくすることができるから、遊技機全体での奥行き寸法を小さくすることができる。また、盤面扉３の奥行き寸法を小さくした分だけ遊技機本体の奥行き寸法を大きくして部品の取り付けスペースを増やすこと等も可能である。
【００３９】
さらに、本実施例の盤面扉３では、背面部材１３を前面部材１１の背面側に接合すると窓２５の外側の前面部材１１との間に収容スペースが形成されるので、ここに装飾材１４と配線基板１６を収容する。
【００４０】
前面部材１１が透明プラスチック製であるから、収容スペースに装飾材１４を収容すれば、前面部材１１を透かして装飾材１４が見える。
装飾材１４は収容スペースに収容されているからほこりやたばこの煙等で汚染されるのを防止できる。装飾材１４が例えばシボやローレット等の凹凸がある部材の場合、その凹凸に侵入した汚れを取るのは大変だが、装飾材１４は汚れないので清掃も不要になる。
【００４１】
収容スペースには配線基板１６も収容したので、ほこり等による短絡を防止できる。
しかも、前面部材１１と背面部材１３とは互いの輪郭部分と窓２５の縁部とで密接状態とされ収容スペースは閉鎖空間とされるので、装飾材１４や配線基板１６の汚れ防止効果がきわめて良好になる。
【００４２】
また、前面部材１１と背面部材１３とにより盤面扉３を箱状の構造としたので、盤面扉３の強度が高まっている。
本実施例の配線基板１６にはＬＥＤが取り付けられており、ＬＥＤからの光が装飾材１４を透過するので、装飾材１４はレンズとなる。従来は盤面扉３の背後に配線基板とＬＥＤを取り付けていたので、ＬＥＤの光を通すための穴を盤面扉３に設けなければならなかったが、本実施例の場合は、そうした穴を設ける必要はない。
【図面の簡単な説明】
【００４３】
【図１】実施例の遊技機の正面図。
【図２】実施例の盤面扉の分解斜視図。
【図３】実施例の盤面扉の層構造を説明するための断面模式図。
【符号の説明】
【００４４】
１・・・パチンコ機（遊技機）、
３・・・盤面扉、
６・・・球皿、
７・・・皿扉、
１１・・・前面部材、
１３・・・背面部材、
１４（１４ａ〜１４ｇ）・・・装飾材、
１６・・・配線基板、
１８・・・前面装飾材、
１９・・・平坦面（透視域）、
２２ａ〜２２ｇ・・・レンズ収容部（収容スペース）、
２５・・・窓、
３１・・・凹所（収容スペース）、
３２・・・ガラス保持部、
３３・・・ガラス板（透明板）
【図１】
2006061479.tif 000003
【図２】
2006061479.tif 000004
【図３】
2006061479.tif 000005